(57)【要約】【課題】１つの電子キーを複数のドアで共用するにあたり、キーフリー操作は複数のドアにおいて可能にするものの、電子キーの遠隔操作時にユーザの意図しないドアが作動してしまうことを防ぐことができるドア錠制御システムを提供する。【解決手段】建物１の第１ドア２ａに電子キー４を登録すると、通信線１２を通じて連結された他の第２ドア２ｂ〜第４ドア２ｄにも電子キーＩＤが書き込まれることにより、１つの電子キー４を複数の第１ドア２ａ〜第４ドア２ｄで共用可能にする。このとき、電子キー４が共用下にあるドア全て（第１ドア２ａ〜第４ドア４ｄ）でキーフリー操作を有効に設定し、これら第１ドア２ａ〜第４ドア２ｄのうち特定ドア（第１ドア２ａ）のみで遠隔操作を有効に設定する。【選択図】図１
2015206211.tif 000002
【特許請求の範囲】
【請求項１】
建物のドアに設けられたドア錠を電子キーによって無線により作動可能なドア錠制御システムにおいて、
通信線を通じて電気的に連結された複数のドアのうち、ある１つのドアに電子キーを登録するとき、当該電子キーの電子キーＩＤを、前記通信線を通じて他のドアにも登録することにより、当該電子キーを複数の前記ドアで共用可能にする登録実行部と、
狭い通信エリア下で前記建物からの通信を契機に行われるＩＤ照合が成立することにより前記ドアの作動が許可又は実行されるキーフリー操作を、前記電子キーが共用下にあるドア全てで有効とし、前記キーフリー操作より広い通信エリア下で前記電子キーからの通信を契機に行われるＩＤ照合が成立することにより前記ドアの作動が実行される遠隔操作を、前記電子キーが共用された前記ドアのうちの特定のドアのみで有効にする作動設定部と
を備えたことを特徴とするドア錠制御システム。
【請求項２】
前記作動設定部は、前記ドア又は建物のメモリに設けられたフラグの許可又は不許可の設定を行うことにより、前記キーフリー操作及び遠隔操作の有効及び無効を切り替える
ことを特徴とする請求項１に記載のドア錠制御システム。
【請求項３】
前記作動設定部は、前記電子キーが共用された複数の前記ドアのうち、ユーザによる前記電子キーの登録作業が実行されたドアにおいて前記遠隔操作を許可する
ことを特徴とする請求項１又は２に記載のドア錠制御システム。
【請求項４】
前記電子キーが共用された複数の前記ドアのうち、どのドアを遠隔操作可能とするのかをユーザに選択させる選択実行部を備え、
前記作動設定部は、前記選択実行部を通じてユーザにより選択されたドアにおいて遠隔操作を許可する
ことを特徴とする請求項１〜３のうちいずれか一項に記載のドア錠制御システム。
【発明の詳細な説明】
【技術分野】
【０００１】
本発明は、ドア錠の作動を制御するドア錠制御システムに関する。
【背景技術】
【０００２】
従来、建物のドアに設けられたドア錠の施解錠を制御するドア錠制御システムが周知である（特許文献１等参照）。このドア錠制御システムでは、ドア錠の作動に電子キーの操作を課さないキーフリー操作によって、ドア錠を施解錠することが可能である。
【先行技術文献】
【特許文献】
【０００３】
【特許文献１】特開２００７−１６２３１０号公報
【発明の概要】
【発明が解決しようとする課題】
【０００４】
この種のドア錠制御システムでは、建物に設けられた複数のドアを通信線で接続しておき、１つのドアに電子キーを登録すると、この電子キーが他のドアにも自動的に登録される技術が検討されている。このシステムを使用すれば、１回の登録作業によって、複数のドアに電子キーを登録することができるので、登録作業が楽になる利点がある。
【０００５】
ところで、電子キーには、ドアに対して離れた位置から電子キーを操作することによってドア錠を作動させる遠隔操作によりドア錠の施解錠を切り替えが可能なものもある。この遠隔操作において電子キーから送信される電波は、一般的に通信距離が長い。このため１つの電子キーを複数のドアで共用する状況下において、電子キーの遠隔操作により特定のドアを解錠しようとしたとき、電波が所望のドアのみならず他のドアにも届いてしまい、ユーザの意図しないドアまで作動してしまう問題があった。
【０００６】
本発明の目的は、１つの電子キーを複数のドアで共用するにあたり、キーフリー操作は複数のドアにおいて可能にするものの、電子キーの遠隔操作時にユーザの意図しないドアが作動してしまうことを防ぐことができるドア錠制御システムを提供することにある。
【課題を解決するための手段】
【０００７】
前記問題点を解決するドア錠制御システムは、建物のドアに設けられたドア錠を電子キーによって無線により作動可能な構成において、通信線を通じて電気的に連結された複数のドアのうち、ある１つのドアに電子キーを登録するとき、当該電子キーの電子キーＩＤを、前記通信線を通じて他のドアにも登録することにより、当該電子キーを複数の前記ドアで共用可能にする登録実行部と、狭い通信エリア下で前記建物からの通信を契機に行われるＩＤ照合が成立することにより前記ドアの作動が許可又は実行されるキーフリー操作を、前記電子キーが共用下にあるドア全てで有効とし、前記キーフリー操作より広い通信エリア下で前記電子キーからの通信を契機に行われるＩＤ照合が成立することにより前記ドアの作動が実行される遠隔操作を、前記電子キーが共用された前記ドアのうちの特定のドアのみで有効にする作動設定部とを備えた。
【０００８】
本構成によれば、１つの電子キーを複数のドアで共用するとき、電子キーが共用下にあるドア全てでキーフリー操作を有効に設定し、これらドアのうち特定ドアのみで遠隔操作を有効に設定する。よって、１つの電子キーを複数のドアで共用するにあたり、キーフリー操作は複数のドアにおいて可能にするものの、電子キーの遠隔操作時にユーザの意図しないドアが作動してしまうことを防ぐことが可能になる。
【０００９】
前記ドア錠制御システムにおいて、前記作動設定部は、前記ドア又は建物のメモリに設けられたフラグの許可又は不許可の設定を行うことにより、前記キーフリー操作及び遠隔操作の有効及び無効を切り替えることが好ましい。この構成によれば、メモリのフラグを書き替えるという簡素な処理により、キーフリー操作及び遠隔操作の有効無効を切り替えることが可能となる。
【００１０】
前記ドア錠制御システムにおいて、前記作動設定部は、前記電子キーが共用された複数の前記ドアのうち、ユーザによる前記電子キーの登録作業が実行されたドアにおいて前記遠隔操作を許可することが好ましい。この構成によれば、キー登録作業が実行されるドアは、例えば建物の玄関ドアなど、通常、最も使用されるドアの可能性が高い。ところで、遠隔操作は、玄関ドアなど、日頃、主に使用されるドアで用いられる可能性が高い。よって、キー登録作業が実行されるドアにおいて遠隔操作が有効になるように設定されれば、最も好ましいドアについて遠隔操作を有効に設定しておくことが可能となる。
【００１１】
前記ドア錠制御システムにおいて、前記電子キーが共用された複数の前記ドアのうち、どのドアを遠隔操作可能とするのかをユーザに選択させる選択実行部を備え、前記作動設定部は、前記選択実行部を通じてユーザにより選択されたドアにおいて遠隔操作を許可することが好ましい。この構成によれば、どのドアを遠隔操作可能とするのかを自由に設定することが可能となる。
【発明の効果】
【００１２】
本発明によれば、１つの電子キーを複数のドアで共用するにあたり、キーフリー操作は複数のドアにおいて可能にするものの、電子キーの遠隔操作時にユーザの意図しないドアが作動してしまうことを防ぐことができる。
【図面の簡単な説明】
【００１３】
【図１】一実施形態のドア錠制御システムの構成図。
【図２】キーフリー操作（自動解錠）の概要図。
【図３】キーフリー操作（手動解錠）の概要図。
【図４】遠隔操作の概要図。
【図５】キーフリー操作及び遠隔操作の有効無効を設定するときの概要図。
【図６】ドアの他の構造例を示すブロック図。
【発明を実施するための形態】
【００１４】
以下、ドア錠制御システムの一実施形態を図１〜図６に従って説明する。
図１に示すように、建物１は、建物１のドア２に設けられたドア錠３を電子キー４によって無線により作動可能なドア錠制御システム５を備える。ドア錠制御システム５は、例えば狭い通信エリア下で建物１からの通信を契機にＩＤ照合を実行してドア錠３を制御するキー操作フリーシステムと、キー操作フリーシステムよりも広い通信エリア下で電子キー４からの通信を契機にＩＤ照合を実行してドア錠３を作動させるワイヤレスキーシステムとを含むことが好ましい。ドア錠制御システム５は、例えばドア錠３の施錠及び解錠の両方を制御するものであるとよい。
【００１５】
なお、以降は、キー操作フリーシステムによるドア錠３の操作を「キーフリー操作」と記し、ワイヤレスキーシステムによるドア錠３の操作を「遠隔操作」と記す。また、キー操作フリーシステムの通信を「スマート通信」と記し、その通信で実施されるＩＤ照合を「スマート照合」と記し、ワイヤレスキーシステムの通信を「ワイヤレス通信」と記し、その通信で実施されるＩＤ照合を「ワイヤレス照合」と記す。
【００１６】
キー操作フリーシステムの通信は、例えば建物１→電子キー４の通信がＬＦ（Low Frequency）帯の電波、電子キー４→建物１の通信がＵＨＦ（Ultra High Frequency）帯の電波を使用した双方向の狭域通信であるとよい。キーフリー操作は、例えば電子キー４を操作しなくても、キー操作フリーシステムに準じたスマート照合が成立すれば、ドア錠３の作動が許可又は実行される操作である。
【００１７】
ワイヤレスキーシステムの通信は、電子キー４→建物１の通信がＵＨＦ電波を使用した単方向の狭域通信であるとよい。キー操作フリーシステム及びワイヤレスキーシステムは両方とも狭域通信であるが、通信距離はスマート通信よりもワイヤレス通信の方が長い。遠隔操作は、ドア２に対して位置から電子キー４を操作することによりドア錠３を作動させる操作である。
【００１８】
電子キー４は、電子キー４の動作を制御するキー制御部６と、電子キー４において電波を受信する受信アンテナ７と、電子キー４において電波を送信する送信アンテナ８とを備える。電子キー４は、ドア２を遠隔操作によって解錠するときに操作する解錠ボタン９と、ドア２を遠隔操作によって施錠するときに操作する施錠ボタン１０とを備える。キー制御部６のメモリ１１には、電子キー４の固有ＩＤである電子キーＩＤが書き込み保存されている。受信アンテナ７は、例えばＬＦ電波を受信する。送信アンテナ８は、例えばＵＨＦ電波を送信する。解錠ボタン９及び施錠ボタン１０は、例えばプッシュボタンからなり、例えばオン信号やオフ信号などの操作信号をキー制御部６に出力する。
【００１９】
ドア２は、例えば１つ又は複数の建物１において複数（本例は４つ）設けられている。本例の場合、これらドア２を第１ドア２ａ、第２ドア２ｂ、第３ドア２ｃ及び第４ドア２ｄと記す。これらドア２ａ〜２ｄは、建物１に設けられた通信線１２によって連結されている。これにより、ドア２ａ〜２ｄは、通信線１２を通じて各種信号の送受信が可能となっている。通信線１２は、例えばＬＡＮ（Local Area Network）であるとよい。
【００２０】
ドア錠制御システム５は、例えば各々のドア２において、前述のドア錠３と、ドア２の動作を制御するドア制御部１３と、ドア２の周囲に電波を送信する送信アンテナ１４と、ドア２の周囲で電波を受信する受信アンテナ１５と、ドア錠３を作動させるときに操作するドア錠操作部１６とを備える。ドア制御部１３のメモリ１７には、ドア２に登録された電子キーＩＤが書き込み保存されている。送信アンテナ１４は、例えばＬＦ電波を送信する。受信アンテナ１５は、例えばＵＨＦ電波を受信する。送信アンテナ１４及び受信アンテナ１５は、例えば建物１の壁に配設されてもよい。ドア錠３は、例えばアクチュエータを駆動源にデッドボルトを出し入れする電気錠であるとよい。ドア制御部１３は、例えば基板上にＩＣ及びスイッチの素子類が実装された制御盤であるとよい。ドア錠操作部１６は、例えば操作される度にドア錠３の施解錠が切り替わる施解錠スイッチであるとよい。
【００２１】
ドア錠制御システム５は、電子キー４をドア２に登録するときの動作を管理する登録実行部１８を備える。登録実行部１８は、例えばドア制御部１３に設けられる。登録実行部１８は、通信線１２を通じて電気的に連結された複数のドア２のうち、ある１つのドア２に電子キー４を登録するとき、その電子キー４の電子キーＩＤを、通信線１２を通じて他のドア２にも登録することにより、電子キー４を複数のドア２で共用可能にする。
【００２２】
ドア錠制御システム５は、各ドア２におけるキーフリー操作及び遠隔操作の有効無効を設定する作動設定部１９を備える。作動設定部１９は、例えばドア制御部１３に設けられるとよい。作動設定部１９は、電子キー４が共用下にあるドア全てでキーフリー操作を有効とし、電子キー４が共用されたドア２のうち特定のドア２のみで遠隔操作を有効にする。例えば、作動設定部１９は、電子キー４が共用された複数のドア２のうち、ユーザによる電子キー４の登録作業が実行されたドア２において遠隔操作を許可するとよい。
【００２３】
次に、図２〜図５を用いて、ドア錠制御システム５の動作を説明する。
図２に示すように、キーフリー操作には、電子キー４がドア２の送信アンテナ１４の通信エリア（スマート通信エリア）Ｅ１に進入すると、ドア２の施解錠が自動で実行される操作パターンがある。スマート通信エリアＥ１は、例えば送信アンテナ１４をドア２に配設することにより、ドア２を中心とした一円に、ＬＦ電波により形成されるとよい。このように、スマート通信エリアＥ１は、ドア２を挟んだ建物１の室内外に亘って一帯に形成されるとよい。
【００２４】
電子キー４が送信アンテナ１４のスマート通信エリアＥ１に進入すると、スマート通信が実行される。具体的には、送信アンテナ１４から送信されたウェイク信号を電子キー４が受信すると、電子キー４が起動してアックを返信し、続く通信課程において、ドアＩＤ照合、チャレンジレスポンス認証、電子キーＩＤ照合の各種照合を実行する。ドアＩＤ照合は、各ドア２の固有ＩＤであるドアＩＤ（図示略）を電子キー４に送信し、電子キー４にドアＩＤを確認させる照合である。チャレンジレスポンス認証は、送信の度にコードが毎回変わるチャレンジコードをドア２から電子キー４に送信して電子キー４の暗号鍵に通し、このレスポンスコードをドア２に返信させ、ドア２において同様に演算したレスポンスコードにより、電子キー４のレスポンスコードの正当性を確認する照合である。電子キーＩＤ照合は、電子キー４に登録された電子キーＩＤの正当性をドア２で確認する照合である。ドア制御部１３は、これら照合が全て成立することを確認すると、スマート照合を成立とし、ドア２の施解錠を実行する。
【００２５】
ちなみに、ドア錠３の状態が切り替わったとき、ドア２（ドア２の外壁）に設けられた表示部２０を点灯又は点滅させて、ドア錠３の施解錠が切り替わった旨をユーザに通知してもよい。この表示動作は、ドア錠３が解錠又は施錠のどちらをとったのかが分かるように、解錠及び施錠のそれぞれで異なる表示態様をとるとよい。なお、この表示動作は、ドア錠操作部１６を使用したキーフリー操作や電子キー４の遠隔操作でドア錠３の作動を切り替えるときも同様に実施されてもよい。
【００２６】
図３に示すように、キーフリー操作には、ドア錠操作部１６が操作されたとき、スマート照合が成立することを条件にドア錠３の施解錠が実行される操作パターンもある。この操作パターンの場合には、単にスマート照合が成立することが条件ではなく、ドア錠操作部１６が操作されたときに、スマート照合が成立していること又は成立することを条件に、ドア錠３の施解錠が切り替わる。
【００２７】
図４に示すように、遠隔操作でドア２の施解錠を切り替えるときには、ドア２から離れた位置において、電子キー４の解錠ボタン９や施錠ボタン１０を操作することにより実行する。この場合、電子キー４で解錠ボタン９や施錠ボタン１０が操作されると、電子キー４から電波が送信されることにより、ワイヤレス通信が実行される。ワイヤレス通信の電波のエリア（ワイヤレス通信エリア）Ｅ２は、遠い位置からでもドア２に電波が届くように、スマート通信エリアＥ１よりも広いエリアに設定されている。また、ワイヤレス通信の電波には、電子キーＩＤと、施解錠のコマンドとが含まれるとよい。
【００２８】
ドア制御部１３は、電子キー４から送信されたワイヤレス通信の電波を受信アンテナ１５で受信すると、この電波に含まれる電子キーＩＤを確認する。ドア制御部１３は、この電子キーＩＤ照合が成立することを確認すると、同一電波内に含まれる施解錠コマンドに従い、ドア錠３を作動させる。よって、電子キー４で解錠ボタン９が操作されれば、ドア錠３が解錠され、電子キー４で施錠ボタン１０が操作されれば、ドア錠３が施錠される。
【００２９】
図５に、電子キー４をドア２に登録するときの動作概要を図示する。ここでは、例えば電子キー４を第１ドア２ａに登録する場合を例にとる。電子キー４を第１ドア２ａに登録するにあたって、まず第１ドア２ａの動作モードを「登録モード」に切り替える。登録モードへの切り替えは、例えばドア錠操作部１６を所定の操作パターンで操作したり、ドア制御部１３に設けられた専用のスイッチを操作したりすることにより、実現するとよい。これにより、第１ドア２ａの登録実行部１８（１８ａ）が動作を開始する。
【００３０】
登録実行部１８ａは、登録モードに切り替わると、第１ドア２ａ及び電子キー４の間で、キー操作フリーシステムの通信網を利用した通信（キー登録通信）を実行する。キー登録通信は、例えば登録モードとなったドア制御部１３と電子キー４とが実行可能な通信であって、電子キー４及びドア制御部１３の通信規格が一致するか否かを確認する通信としてもよいし、セキュリティ性を確保するために暗号通信としてもよい。登録実行部１８ａは、このキー登録通信において電子キー４から電子キーＩＤを取得すると、この電子キーＩＤを自身のメモリ１７ａに書き込むことにより、電子キー４を第１ドア２ａに登録する。
【００３１】
さらに、第１ドア２ａの作動設定部１９（１９ａ）は、メモリ１７ａのフラグ書き込み領域２１ａにおいて、キーフリー操作フラグ及び遠隔操作フラグをともに「許可」にする。これにより、第１ドア２ａでは、キーフリー操作及び遠隔操作のどちらでもドア錠３の切り替え操作が可能となる。なお、第１ドア２ａに電子キー４の登録が完了したとき、ドア２（ドア２の外壁）に設けられた表示部２０を点灯又は点滅させて、キー登録が完了した旨をユーザに通知してもよい。
【００３２】
第１ドア２ａに電子キー４の登録が済むと、第１ドア２ａが「マスタドア」となって、第２ドア２ｂ，第３ドア２ｃ及び第４ドア２ｄの「従属ドア」に、電子キー４を登録する作業を実行する。このとき、登録実行部１８ａは、建物１内の通信線１２を通じて、電子キーＩＤ登録要求Ｓdemを第２ドア２ｂ〜第４ドア２ｄに出力する。電子キーＩＤ登録要求Ｓdemには、登録時に第１ドア２ａ及び電子キー４で実行されたキー登録通信において取得した電子キーＩＤと、電子キーＩＤの紐付けを要求するコマンドとが含まれるとよい。
【００３３】
第２ドア２ｂの登録実行部１８（１８ｂ）は、第１ドア２ａから電子キーＩＤ登録要求Ｓdemを入力すると、これに含まれる電子キーＩＤを自身のメモリ１７ｂに書き込むことにより、電子キー４を第２ドア２ｂに登録する。また、第３ドア２ｃの登録実行部１８（１８ｃ）と第４ドア２ｄの登録実行部１８（１８ｄ）とにおいても、電子キーＩＤ登録要求Ｓdemを受け付けることによる同様のキー登録、すなわちメモリ１７ｃ，１７ｄの書き込み作業を実行する。なお、第２ドア２ｂ〜第４ドア２ｄに電子キー４の登録が完了したときも、表示部２０を点灯又は点滅させて、キー登録が完了した旨をユーザに通知してもよい。
【００３４】
第２ドア２ｂの作動設定部１９（１９ｂ）は、電子キーＩＤ登録要求Ｓdemの入力をトリガにして、メモリ１７ｂに設けられたフラグ書き込み領域２１ｂの設定を行う。すなわち、作動設定部１９ｂは、電子キーＩＤ登録要求Ｓdem内のコマンドに従い、フラグ書き込み領域２１ｂのキーフリー操作フラグを「許可」に設定し、遠隔操作フラグを「不許可」に設定する。同様に、第３ドア２ｃの作動設定部１９（１９ｃ）と第４ドア２ｄの作動設定部１９（１９ｄ）とにおいても、フラグ書き込み領域２１ｃ，２１ｄのキーフリー操作フラグを「許可」とし、遠隔操作フラグを「不許可」とする書き込みが実施される。
【００３５】
以上により、複数あるドア２ａ〜２ｄのうち、ユーザによるキー登録作業が実行された第１ドア２ａのみ遠隔操作が許可され、他の第２ドア２ｂ〜第４ドア２ｄでは遠隔操作が禁止される。このため、第１ドア２ａへのキー登録によって、全てのドア２ａ〜２ｄではキーフリー操作は許可されるものの、遠隔操作については第１ドア２ａのみ許可されることになる。よって、遠隔操作のとき、ユーザの意図しないドア２が施解錠されてしまうことがない。
【００３６】
また、図６に示すように、どのドア２を遠隔操作可能とするのかの設定は、ユーザによる選択式としてもよい。この場合、ドア錠制御システム５は、遠隔操作の選択作業を実施する選択実行部２５を備えるとよい。選択操作は、例えばドア錠操作部１６を所定手順で操作するパターンや、ドア制御部１３に設けられた専用のスイッチを操作するパターンなどがある。また、選択操作のとき、どのような手順で選択操作を行えばよいのかを、音声によるガイドで案内してもよい。
【００３７】
本実施形態の構成によれば、以下に記載の効果を得ることができる。
（１）１つの電子キー４を複数の第１ドア２ａ〜第４ドア２ｄで共用するとき、電子キー４が共用下にあるドア全て（第１ドア２ａ〜第４ドア２ｄ）でキーフリー操作を有効に設定し、これら第１ドア２ａ〜第４ドア２ｄのうち特定ドア（第１ドア２ａ）のみで遠隔操作を有効に設定する。よって、１つの電子キー４を複数のドア２で共用するにあたり、キーフリー操作は複数のドア２において実行可能にするものの、電子キー４の遠隔操作時にユーザの意図しないドア２が作動してしまうことを防ぐことができる。
【００３８】
（２）作動設定部１９は、ドア２（建物１でも可）のメモリ１７に設けられたフラグの許可又は不許可の設定を行うことにより、キーフリー操作及び遠隔操作の有効及び無効を切り替える。よって、本例においては、メモリ１７のフラグを書き替えるという簡素な処理により、キーフリー操作及び遠隔操作の有効無効を切り替えることができる。
【００３９】
（３）遠隔操作が許可されるドア２は、ユーザによるキー登録作業が実行された第１ドア２ａである。ところで、キー登録作業が実行されるドア２は、例えば建物１の玄関ドアなど、通常、最も使用されるドア２の可能性が高い。また、遠隔操作は、玄関ドアなど、日頃、主に使用されるドア２で用いられる可能性が高い。以上を踏まえ、キー登録作業が実行されるドア２において遠隔操作が有効になるように設定されれば、最も好ましいドア２について遠隔操作を有効に設定しておくことができる。
【００４０】
（４）電子キー４が共用された複数のドア２ａ〜２ｄのうち、どのドア２を遠隔操作可能とするのかを、選択実行部２５によって選択可能とした。よって、どのドア２を遠隔操作可能とするのかを自由に設定することができる。
【００４１】
なお、実施形態はこれまでに述べた構成に限らず、以下の態様に変更してもよい。
・ドア制御部１３等の部品群は、ドア２に設けられることに限らず、例えば建物１の外壁など、他の場所に設けられてもよい。
【００４２】
・キー登録は、第１ドア２ａで行われることに限らず、他のドア２、すなわち第２ドア２ｂ〜第４ドア４ｄのいずれでも実行できる。
・ドア錠操作部１６は、スイッチやボタンなど種々のものが採用できる。また、ドア錠操作部１６は、例えばタッチセンサなどの種々のセンサとしてもよい。
【００４３】
・キーフリー操作は、例えばＲＦＩＤ（Radio Frequency IDentification）を用いたシステム、近距離無線を用いたシステム、ブルートゥース（Bluetooth：登録商標）を用いたシステムなど、種々の認証システムを採用することができる。
【００４４】
・キーフリー操作は、建物１からの通信を契機に実施されるＩＤ照合が課された操作であればよい。
・建物１側の送信アンテナ１４は、ドア２に設けられることに限らず、例えば建物１の壁など、他の位置に配置可能である。
【００４５】
・スマート通信エリアＥ１は、例えば建物１に室外送信アンテナ及び室内送信アンテナをそれぞれ設けることにより、各アンテナによって別々のエリアから形成されてもよい。
・建物１に室外送信アンテナ及び室内送信アンテナを設ける場合、これらのうち一方のみ設けられる態様をとってもよい。ちなみに、この場合は、電子キー４が室外にあるか否かを判定する室外判定、又は電子キー４が室内にあるか否かを判定する室内判定の一方のみ実施することができる。
【００４６】
・キーフリー操作が許可されるドア２は、建物１の全ドアに限定されず、特定のドア２に限定してもよい。また、遠隔操作が許可されるドア２は、１つのドア２に限定されず、複数のドア２としてもよい。
【００４７】
・ＩＤ照合の電波の周波数は、ＬＦやＵＨＦ以外の他の周波数に変更可能である。
・電子キー４は、キー専用の端末に限定されず、例えばキー機能を有する高機能携帯電話等の携帯端末としてもよい。
【００４８】
・建物１側のアンテナは、送信と受信とで分かれていることに限らず、送受信の両方が可能な１本のアンテナとしてもよい。
・建物１は、１つであることに限らず、複数設けられてもよい。
【００４９】
次に、上記実施形態及び別例から把握できる技術的思想について、それらの効果とともに以下に追記する。
（イ）前記ドア錠制御システムにおいて、前記登録実行部は、複数の前記ドアのうち、前記電子キーの登録が実行されたドアをマスタドアとして設定し、他のドアを従属ドアとして設定する。この構成によれば、各ドアを順位付けすることが可能となるので、各ドアの管理がし易くなる。
【符号の説明】
【００５０】
１…建物、２（２ａ〜２ｄ）…ドア、３…ドア錠、４…電子キー、５…ドア錠制御システム、１２…通信線、１７（１７ａ〜１７ｄ）…メモリ、１８（１８ａ〜１８ｄ）…登録実行部、１９（１９ｂ〜１９ｄ）…作動設定部、２５…選択実行部、Ｅ１…通信エリア（スマート通信エリア）、Ｅ２…通信エリア（ワイヤレ通信エリア）。
【図１】
2015206211.tif 000003
【図２】
2015206211.tif 000004
【図３】
2015206211.tif 000005
【図４】
2015206211.tif 000006
【図５】
2015206211.tif 000007
【図６】
2015206211.tif 000008
【手続補正書】
【提出日】平成27年4月3日(2015.4.3)
【手続補正１】
【補正対象書類名】特許請求の範囲
【補正対象項目名】請求項１
【補正方法】変更
【補正の内容】
【請求項１】
建物のドアに設けられたドア錠を電子キーによって無線により作動可能なドア錠制御システムにおいて、
通信線を通じて電気的に連結された複数のドアのうち、ある１つのドアに電子キーを登録するとき、当該電子キーの電子キーＩＤを、前記通信線を通じて他のドアにも登録することにより、当該電子キーを複数の前記ドアで共用可能にし、前記建物及び電子キーの間のＩＤ照合を前記ドアごとに実行可能にする登録実行部と、
前記建物からの通信を契機に行われるＩＤ照合が成立することにより前記ドアの作動が許可又は実行されるキーフリー操作を、前記電子キーが共用下にあるドア全てで有効とし、前記電子キーからの通信を契機に行われるＩＤ照合が成立することにより前記ドアの作動が実行される遠隔操作を、前記電子キーが共用された前記ドアのうちの特定のドアのみで有効にする作動設定部とを備え、
前記キーフリー操作のＩＤ照合は、前記建物から狭い通信エリアで送信される電波を前記電子キーが受信することを契機に開始されるＩＤ照合であり、
前記遠隔操作のＩＤ照合は、前記建物の電波よりも広い通信エリアで前記電子キーから送信される電波を前記建物が受信することにより実行されるＩＤ照合である
ことを特徴とするドア錠制御システム。
【手続補正２】
【補正対象書類名】明細書
【補正対象項目名】０００７
【補正方法】変更
【補正の内容】
【０００７】
前記問題点を解決するドア錠制御システムは、建物のドアに設けられたドア錠を電子キーによって無線により作動可能な構成において、通信線を通じて電気的に連結された複数のドアのうち、ある１つのドアに電子キーを登録するとき、当該電子キーの電子キーＩＤを、前記通信線を通じて他のドアにも登録することにより、当該電子キーを複数の前記ドアで共用可能にし、前記建物及び電子キーの間のＩＤ照合を前記ドアごとに実行可能にする登録実行部と、前記建物からの通信を契機に行われるＩＤ照合が成立することにより前記ドアの作動が許可又は実行されるキーフリー操作を、前記電子キーが共用下にあるドア全てで有効とし、前記電子キーからの通信を契機に行われるＩＤ照合が成立することにより前記ドアの作動が実行される遠隔操作を、前記電子キーが共用された前記ドアのうちの特定のドアのみで有効にする作動設定部とを備え、前記キーフリー操作のＩＤ照合は、前記建物から狭い通信エリアで送信される電波を前記電子キーが受信することを契機に開始されるＩＤ照合であり、前記遠隔操作のＩＤ照合は、前記建物の電波よりも広い通信エリアで前記電子キーから送信される電波を前記建物が受信することにより実行されるＩＤ照合である。